(57)【要約】【課題】排気される気体を有効に利用して天候による害を軽減することができる排気システムを提供する。【解決手段】排気システム１０は、屋根３２を有する建物３０に用いられる。排気システムは、ファン１２と、一端１６ａがファンに接続されファンから送風される気体を受ける第１ダクト１６と、第１ダクトの他端１６ｂに接続されたチャンバー２０と、チャンバーに一端２６ａが接続され他端２６ｂに吹き出し開口２８を形成された第２ダクト２６と、を備えている。吹き出し開口から排気される気体は、屋根に向けて吹き出されるようになっている。【選択図】図１
0003123242.tif 000002
【実用新案登録請求の範囲】
【請求項１】
屋根を有する建物の排気システムであって、
ファンと、
一端がファンに接続され、前記ファンから送風される気体を受ける第１ダクトと、
前記第１ダクトの他端に接続されたチャンバーと、
前記チャンバーに一端が接続され、前記ファンから送風される気体を前記屋根に向けて吹き出すための吹き出し開口が他端に形成された第２ダクトと、を備えた
ことを特徴とする排気システム。
【請求項２】
前記チャンバーは前記屋根上に配置されている
ことを特徴とする請求項１に記載の排気システム
【請求項３】
前記チャンバーは、前記屋根に設けられた排水溝の近傍に配置されている
ことを特徴とする請求項１または２に記載の排気システム。
【請求項４】
前記チャンバーは、前記屋根に設けられた排水口の近傍に配置されている
ことを特徴とする請求項１乃至３のいずれか一項に記載の排気システム。
【請求項５】
複数のファンと、各ファンに対応した複数の第１ダクトと、が設けられている
ことを特徴とする請求項１乃至４のいずれか一項に記載の排気システム。
【請求項６】
前記チャンバーに対する前記第１ダクトの接続方向と、前記チャンバーに対する前記第２ダクトの接続方向と、はずれている
ことを特徴とする請求項１乃至５のいずれか一項に記載の排気システム。
【請求項７】
前記チャンバーは直方体状の外輪郭を有し、
前記第１ダクトおよび前記第２ダクトは、前記チャンバーの異なる面に連結されている
ことを特徴とする請求項１乃至６のいずれか一項に記載の排気システム。
【請求項８】
前記チャンバーは直方体状の外輪郭を有し、
前記第１ダクトおよび前記第２ダクトは、前記チャンバーの隣接する面に連結されている
ことを特徴とする請求項１乃至７のいずれか一項に記載の排気システム。
【考案の詳細な説明】
【技術分野】
【０００１】
本考案は、屋根を有する建物、例えば店舗に用いられる排気システムであって、とりわけ、排気される気体を有効に利用して天候による害を軽減することができる排気システムに関する。
【背景技術】
【０００２】
建物（建造物）、とりわけ店舗等には、通常、排気用のファンと、当該ファンに一端が接続され他端に吹き出し開口を形成されたダクトと、を有する排気システムが設けられている。一般的に、排気される気体（以降において単に「排気気体」とも呼ぶ）が油分を含んでいる等の理由から、吹き出し開口は、当該建物や隣接する他の建物からずらした方向に向けられる。
【考案の開示】
【考案が解決しようとする課題】
【０００３】
ところで、建物の屋根は、夏場において、直射日光により高温に加熱される。これにより、建物内の温度が上昇する、屋根自体が痛んでしまう等の不具合が発生する。また、冬場においては、屋根の上に雪が積もり、この雪の重みによって建物自体に大きな荷重が負荷されてしまう虞もある。これらのことは、異常気象が続く昨今において、極めて重要な問題となりつつある。
【０００４】
一方、排気システムによって大気に排気されている気体の温度は、一般的に、冬場の雪の温度より高く、夏場の屋根の温度より低い。このため、排気される気体を有効に利用して天候による害を軽減することができれば、非常に都合が良い。
【０００５】
本考案はこのような点を考慮してなされたものであり、屋根を有する建物に用いられる排気システムであって、排気される気体を有効に利用して天候による害を軽減することができる排気システムを提供することを目的とする。
【課題を解決するための手段】
【０００６】
本考案による排気システムは、屋根を有する建物の排気システムであって、ファンと、一端がファンに接続され、前記ファンから送風される気体を受ける第１ダクトと、前記第１ダクトの他端に接続されたチャンバーと、前記チャンバーに一端が接続され、前記ファンから送風される気体を前記屋根に向けて吹き出すための吹き出し開口が他端に形成された第２ダクトと、を備えたことを特徴とする。
【０００７】
本考案による排気システムにおいて、前記チャンバーが前記屋根上に配置されるようにしてもよい。
【０００８】
また、本考案による排気システムにおいて、前記チャンバーが、前記屋根に設けられた排水溝の近傍に配置されるようにしてもよい。
【０００９】
さらに、本考案による排気システムにおいて、前記チャンバーが、前記屋根に設けられた排水口の近傍に配置されるようにしてもよい。
【００１０】
さらに、本考案による排気システムにおいて、複数のファンと、各ファンに対応した複数の第１ダクトと、が設けられているようにしてもよい。
【００１１】
さらに、本考案による排気システムにおいて、前記チャンバーに対する前記第１ダクトの接続方向と、前記チャンバーに対する前記第２ダクトの接続方向と、はずれているようにしてもよい。
【００１２】
さらに、本考案による排気システムにおいて、前記チャンバーは直方体状の外輪郭を有し、前記第１ダクトおよび前記第２ダクトは、前記チャンバーの異なる面に連結されているようにしてもよい。
【００１３】
さらに、本考案による排気システムにおいて、前記チャンバーは直方体状の外輪郭を有し、前記第１ダクトおよび前記第２ダクトは、前記チャンバーの隣接する面に連結されているようにしてもよい。
【考案の効果】
【００１４】
本考案によれば、排気される気体を有効に利用して天候による害を軽減することができる。
【考案を実施するための形態】
【００１５】
以下、図面を参照して本考案の実施の形態について説明する。
【００１６】
図１乃至図４は本考案による排気システムの一実施の形態を示す図である。
【００１７】
このうち図１および図２は排気システムを組み込んだ建物を示す斜視図であり、図３は図１および図２の建物を示す上面図であり、図４は図３のＩＶ−ＩＶ線に沿った断面図である。
【００１８】
図１乃至図４に示すように、本実施の形態において、排気システム１０は、屋根３２および壁３４を有する店舗（建物（建造物）の一態様）３０に用いられている。店舗内は屋根３２および壁３４によって外部から区画され、図４に示すように、店舗内にて煮炊き等の調理を行うようになっている。本実施の形態における排気システム１０は、調理で生じた蒸気等を店舗内から店舗外に排出するために用いられる。
【００１９】
図１乃至図４に示すように、排気システム１０は、排気用のファン１２と、一端１６ａがファン１２に接続された第１ダクト１６と、第１ダクト１６の他端１６ｂに接続されたチャンバー２０と、チャンバー２０に一端２６ａが接続され他端２６ｂに吹き出し開口２８が形成された第２ダクト２６と、を備えている。図１、図３および図４に示すように、第２ダクト２６は、他端２６ｂにおいて、徐々に幅広となるように広がっている。また、図１および図４に示すように、第２ダクト２６の吹き出し開口２８は、屋根３２側に向けて開口している。
【００２０】
本実施の形態において、店舗内に三つのファン１２が設けられている。そして、とりわけ図２に示されているよう、三つの排気ファン１２にそれぞれ対応して、三つの第１ダクト１６が設けられている。図４には、排気ファン１２が店舗内に設置された調理器具３６の上方に配置された例が示されている。この例において、調理器具３６等の上方には、排気ファン１２を取り囲むようにしてフード３８が設けられている。また、フード３８と排気ファン１２との間を接続する接続ダクト１３が設けられている。したがって、調理器具３６を用いて食材が調理され当該食材から蒸気が生じた場合、蒸気はフード３８内に回収され、排気ファン１２により、接続ダクト１３を介して第１ダクト１６内に送風されるようになる。なお、ファン１２は、調理器具３６の上方に限られず、他の機器、例えば炊飯器や食器洗浄機の上方に配置されるようにしてもよい。
【００２１】
図１、図３および図４によく示されているように、本実施の形態において、チャンバー２０は店舗３０の屋根３２の上方に支持されている。したがって、図２および図４によく示されているように、一端がファン１２に接続された第１ダクト１６は、壁３４を貫通して店舗外を屋根３２上まで延びている。本実施の形態において、第１ダクト１６は、亜鉛鋼板製角ダクトからなっているが、これに限られない。なお、各第１ダクト１６の断面形状は、対応するファン１２の性能や所望の排気能力等を考慮して適宜設計され得る。
【００２２】
一方、屋根３２上に配置されたチャンバー２０は、図１に示されているように、直方体上の外輪郭を有している。図１および図４に示すように、チャンバー２０は、例えばアングル材を用いて、屋根３２に支持されている。また、図３に示すように屋根３２には、屋根上に降った雨水等を回収する排水溝３２ａと、排水溝３２ａに接続され排水溝３２ａ内の雨水等を排水する複数の排水口３２ｂと、が設けられている。図４に示されているように、本実施の形態における屋根３２は、排水溝３２ａに雨水等を流し込むことができるよう、傾斜している。そして、図３に示すよう、チャンバー２０は、排水溝３２ａおよび排水口３２ｂの一部分の近傍に配置され、当該排水溝３２ａの一部分に沿って延びている。
【００２３】
図１および図３に示されているように、本実施の形態において、チャンバー２０から三つの第２ダクト２６が延び出ている。各第２ダクト２６は、チャンバー２０に接続され第２ダクト２６の一端側部分をなす接続部２７ａと、吹き出し開口２８を含み第２ダクト２６の他端側部分をなす拡張部２７ｂと、を有している。
【００２４】
図１、図３および図４から理解できるように、チャンバー２０に対する第１ダクト１６の接続方向とチャンバー２０に対する第２ダクト２６の接続方向とはずれている、つまり、一直線上に揃えられていない。図１および図４から理解できるように、第１ダクト１６はチャンバー２０の上面に連結され、このチャンバー２０の上面に隣接するチャンバー２０の一つの側面に、第２ダクト２６が連結されている。したがって、チャンバー２０に対する第１ダクト１６の接続方向と、チャンバー２０に対する第２ダクト２６の接続方向と、は略直交するようになっている（図４参照）。
【００２５】
各第２ダクト２６の拡張部２７ｂは、上述したように、吹き出し開口２８に向けて徐々に幅広くなっていくよう、形成されている（図１および図３参照）。これにより、第２ダクト２６の吹き出し開口２８から広角で気体を吹き出すことができるようになっている。一方、接続部２７ａは、第１ダクト１６と同様に限定されるものではないが、亜鉛鋼板製角ダクトからなっている。また、図３によく示されているように、両外方に配置された第２ダクト２６の各接続部２７ａは、チャンバー２０の側面から当該側面に対して略垂直に延び出るとともに、外方に曲がっている。したがって、三つの第２ダクト２６の吹き出し開口２８から気体を、屋根の外表面の広い範囲に向けて、より好ましくは、屋根３２の全外表面上に向けて吹き出すことができるようになっている。
【００２６】
次にこのような構成からなる排気システム１０の作用について説明する。
【００２７】
このような排気システム１０においては、各ファン１２を作動することにより、フード３８内に回収される例えば蒸気等の気体が各第１ダクト１６内に吐出されるようになる。各第１ダクト１６内に吐出された気体は、チャンバー２０内に送り込まれる。このとき、気体はチャンバー２０内に上方から下方に向けて供給され、この結果、当該気体はチャンバー２０の下方の内面に衝突する。したがって、気体が油分等を含んでいる場合には、当該油分等はチャンバー２０の内面に付着するようになる。
【００２８】
このようにして、第１ダクト１６からチャンバー２０内に気体が送り込まれると、チャンバー２０内の圧力が上昇する。このとき、各第１ダクト１６内を移動する気体の流量を考慮して、チャンバー２０への第１ダクト１６の接続位置を決定しておくことにより、チャンバー２０内の圧力を均一に上昇させることができる。
【００２９】
チャンバー２０内の圧力が上昇すると、チャンバー２０内から第２ダクト２６に気体が流れ込む。上述したように、チャンバー２０から三つの第２ダクトが延び出ている。そして、両外方の第２ダクト２６の接続部２７ａは外方に曲がっており、各第２ダクト２６の拡張部２７ｂは端部に向けて徐々に幅広くなっていくよう形成されている。したがって、第２ダクト２６の吹き出し開口２８から屋根上の広い範囲に向けて気体が吹き出されるようになる。
【００３０】
ここで、冬場においては、屋根３２の上に雪が積もることがある。この場合、蒸気等からなり少なくとも外気温度よりも高温の排気気体が第２ダクト２６から屋根上に吹き出されることにより、屋根３２に降り積もった雪を溶かすことができる。また、上述したように、蒸気等からなり少なくとも外気温度よりも高温の排気気体が充填されるチャンバー２０は屋根上に配置され、さらに詳細には、屋根３２に設けられた排水溝３２ａおよび排水口３２ｂの近傍に配置されている。したがって、チャンバー２０からの熱によって、屋根上に積もった雪を溶かすこと、さらに詳しくは、屋根上の排水溝３２ａおよび排水口３２ｂ上の雪を溶かすことができる。これにより、溶けた雪からなる水の排水を確保することができ、さらなる融雪を促進することができる。これらのことから、これまで利用されることなく廃棄されていた排気気体の熱量を利用して、冬場における屋根上への積雪を抑制することができる。
【００３１】
また、夏場においては、直射日光により、屋根３２は高温に加熱される。多くの場合、第２ダクト２６から排気される気体の温度は、加熱された屋根３２の温度よりも低くなる。したがって、第２ダクト２６から屋根上の広い範囲に向けて気体が吹き出されることにより、屋根３２が冷やされるようになる。これにより、屋根３２の温度上昇にともなった、店舗内の温度の上昇を抑制することができるようになる。
【００３２】
以上のように本実施の形態によれば、建物（店舗）３０から排気される気体を屋根上に吹き付けるようになっている。多くの場合、建物３０からの排気気体の温度は、冬場の屋根３２の温度より高く、夏場の屋根３２の温度より低い。したがって、これまで利用されることなく廃棄されていた排気気体により、冬場において屋根３２を暖めることができ、夏場において屋根３２を冷やすことができる。すなわち、別途の特別な熱回収設備等を設けることなく、建物（店舗）３０から排出される排気気体を利用して、天候に起因する害を抑制することができる。
【００３３】
また、本実施の形態における排気システム１０には、屋根３２に吹き出される前に排気気体をいったん受けるチャンバー２０が設けられている。したがって、排気気体が油分等を含んでいたとしても、チャンバー２０内に油分等が回収され得る。これにより、排気気体を吹き付けられる屋根３２が油分等によって汚れてしまうことを抑制することができる。
【００３４】
さらに、本実施の形態によれば、排気気体が吹き込まれるチャンバー２０が屋根上に配置されている。上述してきたように、多くの場合、排気気体の温度は、冬場の屋根３２の温度より高く、夏場の屋根３２の温度より低い。したがって、排気気体が充填されたチャンバー２０により、冬場において屋根３２を暖め得るとともに夏場において屋根３２を冷やし得る。
【００３５】
さらに、本実施の形態によれば、排気気体が吹き込まれるチャンバー２０が、屋根３０に設けられた排水溝３２ａおよび排水口３２ｂの近傍に配置されている。したがって、排気気体が充填されたチャンバー２０により、冬場に排水溝３２ａまたは排水口３２ｂが雪で詰まってしまうことを抑制し、融雪を促進することができる。
【００３６】
さらに、本実施の形態によれば、排気システム１０に複数のファン１２と、各ファン１２２に対応した複数の第１ダクト１６と、が設けられている。ここで、第１ダクト１６の太さおよび第１ダクト１６のチャンバー２０への接続位置等を調整することにより、チャンバー２０内の圧力を均一に昇圧することができる。これにより、屋根上にむらなく排気気体を吹き付けることができ、上述してきた作用効果をより有効に発揮することができるようにし得る。
【００３７】
なお、上述した実施の形態に関し、本考案の要旨の範囲内で種々の変更が可能である。以下、変形例の一例について説明する。
【００３８】
例えば、上述した実施の形態において、排気ファン１２および第１ダクト１６がそれぞれ三つ設けられている例を示したが、これに限られない。排気ファン１２および第１ダクト１６はそれぞれ一つ以上設けられていればよい。
【００３９】
また、上述した実施の形態において、第２ダクト２６が三つ設けられている例を示したが、これに限られない。第２ダクト２６は一つ以上設けられていればよい。
【００４０】
さらに、本実施の形態によれば、建物３０に壁３４が設けられ、店舗内と店舗外とが区画されている例を示したが、これに限られない。屋根３２を有する建物３０であれば、壁３４の有無によらず、排気システム１０を適用することができる。
【図面の簡単な説明】
【００４１】
【図１】図１は、本考案による排気システムの一実施の形態を、当該排気システムを組み込んだ建物とともに、上方から示す斜視図である。
【図２】図２は、図１に示す排気システムを、当該排気システムを組み込んだ建物とともに、下方から示す斜視図である。
【図３】図３は、図１および図２に示す排気システムを、当該排気システムを組み込んだ建物とともに示す上面図である。
【図４】図４は、図３のＩＶ−ＩＶ線に沿った断面図である。
【符号の説明】
【００４２】
１０  排気システム
１２  ファン
１６  第１ダクト
１６ａ  一端
１６ｂ  他端
２０  チャンバー
２６  第２ダクト
２６ａ  一端
２６ｂ  他端
２８  吹き出し開口
３０  店舗（建物の一態様）
３２  屋根
【図１】
0003123242.tif 000003
【図２】
0003123242.tif 000004
【図３】
0003123242.tif 000005
【図４】
0003123242.tif 000006